(57)【要約】【課題】  通話時にユーザーの指の影響を受けにくく、また、高利得で広帯域の性能を確保できるアンテナ形状の平面アンテナおよび当該平面アンテナを内蔵する携帯電話機を提供する。【解決手段】  平面アンテナ３０は、放射素子３２がブリッジ形状であり、長手部分の両端部から直角方向に徐々に幅を狭めながら延伸した脚部３３、脚部３４を有し、中央部がへこんだ凹部３５となる。給電点３１は、ブリッジ形状の肩部に設ける。これにより、放射素子３２は、給電点３１側と給電点３１の反対側共に幅が広い形状となり、中央部が底部３側に向かって末広がりの凹部となる。そして、平面アンテナ３０の面は、携帯電話機１の背面と略並行で、平面アンテナの長手部分を頂部２側に配置し、凹部を底部３側に向けて配置する。【選択図】  図２
2006005816.tif 000002
【特許請求の範囲】
【請求項１】
放射素子の給電点から最遠部までの長さが使用周波数の波長の略４分の１に相当し、一方の端部に給電点を有する平面アンテナであって、
前記放射素子の長手方向の中央部の幅が前記両端部の幅より狭い平面形状であることを特徴とする平面アンテナ。
【請求項２】
前記平面形状は、前記放射素子の長手方向の中央部において当該長手方向に直行する一方向に凹部を有することを特徴とする請求項１に記載の平面アンテナ。
【請求項３】
前記平面形状は糸巻き形状であり、当該糸巻き形状の軸方向の端部に給電点を有することを特徴とする請求項１に記載の平面アンテナ。
【請求項４】
前記平面形状は前記長手方向の両端部から当該長手方向に直交する方向に徐々に幅を狭めながら延伸した脚部を有するブリッジ形状であり、当該ブリッジ形状の肩部に給電点を有することを特徴とする請求項１に記載の平面アンテナ。
【請求項５】
平面アンテナを内蔵する携帯電話機にあって、
前記平面アンテナは、
放射素子の給電点から最遠部までの長さが使用周波数の波長の略４分の１に相当し、一方の端部に給電点を有する平面アンテナであって、
前記放射素子の長手方向の中央部において当該長手方向に直行する一方向に凹部を有する平面形状であり、
前記平面アンテナと前記携帯電話機との配置は、
前記平面アンテナの平面が前記携帯電話機の背面と略並行で、
前記平面アンテナ全体を前記携帯電話機の頂部近傍に配置し、
前記平面アンテナの凹部を前記携帯電話機の頂部と反対方向に向けて配置することを特徴とする携帯電話機。
【請求項６】
平面アンテナを内蔵する携帯電話機にあって、
前記平面アンテナは、
放射素子の給電点から最遠部までの長さが使用周波数の波長の略４分の１に相当し、一方の端部に給電点を有する平面アンテナであって、
前記長手部分の両端部から当該長手方向に直交する方向に徐々に幅を狭めながら延伸した脚部を有するブリッジ形状の平面形状であり、
前記ブリッジ形状の肩部に給電点を有し、
前記平面アンテナと前記携帯電話機との配置は、
前記平面アンテナの平面が前記携帯電話機の背面と略並行で、
前記平面アンテナ全体を前記携帯電話機の頂部近傍に配置し、
前記平面アンテナの両脚部を前記携帯電話機の頂部と反対方向に向けて配置する
ことを特徴とする携帯電話機。
【発明の詳細な説明】
【技術分野】
【０００１】
本発明は、平面アンテナを内蔵した携帯電話機に関するもので、特に、平面アンテナの形状と当該平面アンテナを所定の配置で内蔵した携帯電話機に関する。
【背景技術】
【０００２】
（背景技術１）
筐体を把持するユーザーの手や指などが不用意に内蔵アンテナに接近しないようにした携帯無線装置がある（例えば、特許文献１参照。）。この特許文献１の携帯無線装置にあっては、内蔵アンテナを避ける位置に指置き用の指標となる凹部を設けている。そして、ユーザーが指を凹部に置くように把持することにより、指が内蔵アンテナに接近しないようにして内蔵アンテナの感度低下を防いでいる。
【０００３】
（背景技術２）
アンテナの放射効率や受信感度を向上し、また、広帯域化および小型化を行ったアンテナ装置がある（例えば、特許文献２参照。）。この特許文献２のアンテナ装置のアンテナ素子が形成される面は携帯電話機の頂上方向を向くように配置される。そして、アンテナ素子が形成される面の有効面積を広く確保することができて放射効率や受信感度を向上している。また、アンテナ素子パターンをコ字形に形成して、広帯域化および小型化を行っている。
【０００４】
（背景技術３）
図４は、よく知られている扇型の平面アンテナの形状図である。このアンテナは、給電点から２方向に放射素子を２個配したダイポール方式のアンテナであり、このダイポールの放射素子を扇型の平面形状としたものである。  
平面アンテナ８０は、給電点８１の反対側の幅が広い形状の扇型の平面アンテナであり、広帯域であることが知られている。平面アンテナ９０は、給電点９１側の幅が広い形状の扇型の平面アンテナであり、高利得であることが知られている。  
【特許文献１】特開２００２−３６８８５３号公報（第３頁、図１〜図３）
【特許文献２】特開平１１−２７４８４３号公報（第４頁、第１０頁、図１、図２、図３（Ｂ））
【発明の開示】
【発明が解決しようとする課題】
【０００５】
従来の背景技術１に開示された携帯無線装置では、携帯無線装置自体が小型化するに伴い、ユーザーの指が指置き用の凹部より内蔵アンテナ側に飛び出てしまうことが多くなり、指と内蔵アンテナとが接近して内蔵アンテナの特性が低下してしまう。また、この状態において、指と内蔵アンテナとが接近しないように内蔵アンテナの面積を単純に狭くすると、アンテナの特性が劣化してしまう。  
また、従来の背景技術２に開示されたアンテナ装置では、単に線状パターンをコ字形状にして広帯域化しているが、その効果には限界がある。  
また、従来の背景技術３に開示された平面アンテナでは、帯域と利得の両方を満足していない。
【０００６】
本発明は、上記の問題点を解決するためになされたもので、ユーザーの指の影響を受けにくく、また、高利得で広帯域の性能を確保できるアンテナ形状の平面アンテナおよび当該平面アンテナを内蔵する携帯電話機を提供することを目的とする。
【課題を解決するための手段】
【０００７】
上記目的を達成するために、本発明の平面アンテナは、放射素子の給電点から最遠部までの長さが使用周波数の波長の略４分の１に相当し、一方の端部に給電点を有する平面アンテナであって、前記放射素子の長手方向の中央部の幅が前記両端部の幅より狭い平面形状であることを特徴とする。
【０００８】
また、本発明の携帯電話機は、平面アンテナを内蔵する携帯電話機にあって、前記平面アンテナは、放射素子の給電点から最遠部までの長さが使用周波数の波長の略４分の１に相当し、一方の端部に給電点を有する平面アンテナであって、前記放射素子の長手方向の中央部の幅が前記両端部の幅より狭い平面形状であり、前記平面アンテナと前記携帯電話機との配置は、前記平面アンテナの平面が前記携帯電話機の背面と略並行で、前記平面アンテナ全体を前記携帯電話機の頂部近傍に配置し、前記平面アンテナの前記幅の狭い部分を前記携帯電話機の頂部と反対方向に向けて配置することを特徴とする。
【発明の効果】
【０００９】
本発明によれば、ユーザーの指の影響を受けにくく、また、高利得で広帯域のアンテナ性能を確保することが可能となる。
【発明を実施するための最良の形態】
【００１０】
以下、本発明の実施例を、図面を参照して説明する。  
図１は、本発明の実施例に係る平面アンテナの形状と特性を説明する図であり、各平面アンテナの形状と、利得と帯域のある条件下における実験結果を示す。各平面アンテナは、給電点から一方方向に放射素子１個を配した逆Ｆ形式やその他の形式の平面アンテナである。放射素子の給電点から最遠部の長さは使用周波数の波長の略４分の１である。各平面アンテナの形状は、平面アンテナを携帯電話機に内蔵した時に、ユーザーの指が平面アンテナの面と重ならないことを考慮した形状である。
【００１１】
まず、平面アンテナ１０は、横長タイプであり、給電点１１と幅の狭い放射素子１２を備える。幅が狭いためにユーザーの指が重ならないが、特性は、利得が悪く、帯域も狭い。  
平面アンテナ２０は、放射素子２２の給電点２１側の幅が狭く、給電点２１と反対側の幅が広い形状である。幅の狭い部分とユーザーの指が重ならないが、特性は、利得が悪く、帯域は広い。この形状と特性は、従来の平面アンテナ８０（図４）に近似している。  
平面アンテナ３０は、放射素子３２がブリッジ形状であり、長手部分の両端部から直角方向に徐々に幅を狭めながら延伸した脚部３３、脚部３４を有し、中央部がへこんだ凹部３５となる。給電点３１は、ブリッジ形状の肩部に設ける。これにより、放射素子３２は、給電点３１側と給電点３１の反対側共に幅が広い形状となる。この末広がりの凹部３５により、ユーザーの指と重なりにくいようにすることができる。また、特性も、利得が良く、帯域も広い性能とすることができる。
【００１２】
平面アンテナ４０は、放射素子４２が糸巻き形状であり、中央部がへこんだ凹部４３となる。給電点４１は、糸巻き形状の軸方向の端部に設ける。これにより、放射素子４２は、給電点４１側と給電点４１の反対側共に幅が広い形状となる。この凹部４３により、ユーザーの指と重なりにくいようにすることができる。また、特性も、利得は良く、帯域も広い性能とすることができる。
【００１３】
平面アンテナ５０は、放射素子５２がコ字形状であり、平面アンテナ３０と類似の形状である。脚部５３、脚部５４を有し、中央部がへこんだ凹部５５となる。給電点５１は、コ字形状の肩部に設ける。これにより、放射素子５２は、給電点５１側と給電点５１の反対側共に幅が広い形状となる。この凹部５５により、ユーザーの指と重なりにくいようにすることができる。また、特性も、利得は良く、帯域も広い性能とすることができる。  
なお、平面アンテナ３０、４０、５０は図示した形状に厳密に同じである必要はなく、給電点側と給電点の反対側共に幅が広く、中央部がへこんだ凹部であればよい。
【００１４】
図２は、平面アンテナを内蔵した携帯電話機の外観図である。携帯電話機１は、通常の通話使用状態で略上側となる部分を頂部２、略下側となる部分を底部３と以下称する。携帯電話機１の正面には、頂部２側から底部３側に向けて、受話器４、ＬＣＤ５、キー６、送話機７が配置される。携帯電話機１の背面には、底部３側に電池パック８が配置される。  
携帯電話機１の内部には、側面図、背面図に点線で示すように、例えば平面アンテナ３０が頂部２側に配置され、給電点３１は図示しない無線部と接続される。平面アンテナ３０の面は、携帯電話機１の背面と略並行で、平面アンテナの長手部分を頂部２側に配置し、凹部を底部３側に向けて配置する。  
図３は、携帯電話機のユーザー使用状態を説明する図である。ユーザーが通話時に、携帯電話機１を手で把持し、携帯電話機１の背面を人差し指で支えている場合を示す。携帯電話機１に内蔵の平面アンテナ３０は底部側に凹部を有する形状であるため、ユーザーの指と平面アンテナが重なりにくい構造とすることができる。また、平面アンテナ３０は、高利得で広帯域の特性を持っている。  
従って、ユーザーの指の影響を受けにくく、また、高利得で広帯域のアンテナ性能を確保することが可能となる。
【００１５】
なお、この内蔵する平面アンテナは、平面アンテナ４０や平面アンテナ５０であってもよい。また、携帯電話機の場合について説明したが、ＰＨＳなどの無線通信端末にも適用できる。
【図面の簡単な説明】
【００１６】
【図１】本発明の実施例に係る平面アンテナの形状と特性を説明する図。
【図２】本発明の実施例に係る平面アンテナを内蔵した携帯電話機の外観図。
【図３】本発明の実施例に係る携帯電話機のユーザー使用状態を説明する図。
【図４】従来の平面アンテナの形状図。
【符号の説明】
【００１７】
１  携帯電話機
２  頂部
３  底部
４  受話器
５  ＬＣＤ
６  キー
７  送話機
８  電池パック
１０、２０、３０、４０、５０  平面アンテナ
１１、２１、３１、４１、５１  給電点
１２、２２、３２、４２、５２  放射素子
３３、３４、５３、５４  脚部
３５、４３、５５  凹部
【図１】
2006005816.tif 000003
【図２】
2006005816.tif 000004
【図３】
2006005816.tif 000005
【図４】
2006005816.tif 000006